(57)【要約】【課題】防寒と顔面の怪我防止になり、口からの飛沫発散が押さえられ、周囲から自身の口元への直接のウイルスや細菌の流入が軽減されるマスクを提供すること。【解決手段】本体部（１１）と一対の紐部材（１２ａ、１２ｂ）とで構成されたアウターマスク（１０）と、本体部（１１）内に収容されたインナーマスク（２０）とを備え、インナーマスク（２０）は、銅製の板状部材（２１）と、柔軟性を有するクッション材（２３）と、それらを収容する収容袋（２５）と、収容袋（２５）を被覆するカバー部材（２７）とを備え、板状部材（２１）及びクッション材（２３）を互いに重ねた状態で収容袋（２５）に収容し、該収容袋（２５）をカバー部材（２７）で被覆することでインナーマスク（２０）を構成し、当該インナーマスク（２０）をアウターマスク（１０）のインナーマスク収容部（１３）に収容してなるマスク（１）である。【選択図】図１
0003229101.tif 000002
【実用新案登録請求の範囲】
【請求項１】
使用者の鼻及び口の部分に当てる本体部と、前記本体部を使用者の耳又は頭部に掛けるために該本体部の左右両端部から延出する一対の紐部材とを備えるマスクであって、
前記マスクは、前記本体部と前記一対の紐部材とで構成されたアウターマスクと、前記アウターマスクの前記本体部内に収容されたインナーマスクと、を備え、
前記アウターマスクの前記本体部は、伸縮性を有する布材で構成されており、かつ、左右方向を軸方向として左右両端部がともに開口する筒状、又は前記左右両端部のうちいずれか一方が開口する袋状に形成されていることで、その内部が前記インナーマスクを収容するインナーマスク収容部になっており、
前記インナーマスクは、銅製の板状部材と、柔軟性を有するクッション材と、前記板状部材及び前記クッション材を収容する収容袋と、前記板状部材及び前記クッション材を収容してなる前記収容袋を被覆するカバー部材と、を備え、前記カバー部材は、伸縮性を有する生地でその左右両端部がともに開口する筒状、又は前記左右両端部のうちいずれか一方が開口する袋状に形成されており、
前記板状部材及び前記クッション材を互いに重ねた状態で前記収容袋に収容し、該収容袋を前記カバー部材で被覆することで前記インナーマスクを構成し、当該インナーマスクを前記アウターマスクの前記インナーマスク収容部に収容してなることを特徴とするマスク。
【請求項２】
前記収容袋に収容された前記板状部材及び前記クッション材は、顔に近い側から前記板状部材と前記クッション材の順番で重ねられていることを特徴とする請求項１に記載の衛生マスク。
【請求項３】
前記クッション材は、ポリプロピレン製であることを特徴とする請求項１又は２に記載のマスク。
【請求項４】
前記板状部材は、その厚さ寸法が０．１ｍｍであることを特徴とする請求項１乃至３のいずれか１項に記載のマスク。
【考案の詳細な説明】
【技術分野】
【０００１】
本考案は、衛生用のマスクに関し、詳細には、口からの飛沫発散が押さえられ、周囲から自身の口元への直接のウイルスや細菌の（空気を経ての）流入が軽減され、かつ、防寒と顔面の怪我防止にも効果の有るマスクに関する。
【背景技術】
【０００２】
今日の新型コロナウイルスと流行性インフルエンザへの対策として、ワクチン開発以外にマスクの着用がある。現在、世界的にマスク着用の必要性が見直されてきており、そのマスク開発においても新規に強力の効能を持つものが期待される。
【０００３】
従来の一般的なマスクは、例えば特許文献１に示すように、布又は不織布により構成されたマスク本体（本体部）と、このマスク本体の左右両端の上下両位置にそれぞれ両端が縫い付けられた紐状の耳掛け部とからなる。そして、マスク本体は、編織布を重ね合わせたり、不織布を立体的に溶着したりして形成されている。
【先行技術文献】
【特許文献】
【０００４】
【特許文献１】実用新案登録第３１０８８８０号公報
【考案の概要】
【考案が解決しようとする課題】
【０００５】
従来の一般的なマスクでは、マスク着用時の上下方向への空気の流れや漏れ全てを防げないことは明白である。内からと外からの細菌やウイルスの空気と一緒の流れ込みに関しては、一般仕様の風邪マスクの効能において差がある。また、従来のマスクは、それのみでは十分な防寒性能やクッション性能が得られないため、防寒や顔面の怪我防止のための装着具としては不十分な面がある。
【課題を解決するための手段】
【０００６】
流行性感冒やコロナウイルス伝染からの予防と保護と免疫力強化に有効な方法の一つに、サージカルマスク以外の一般普及型として、フェースマスクや口マスクにおける「銅シートの効能利用」がある。それは自身と他者の両方に効能があると考えられる。マスクにおける銅シートの挿入利用は、本人の口から直接外部への飛沫防止になるからである。銅板（シート）を利用する本案の新規開発の革新性に言及すると、新型コロナ禍の今日、将来的に健康的“ヘルス・マスク”としての機能が一般的に普及されていくと考える。２０２０年３月の米国の国立衛生研究所の発表資料によると、新型コロナウイルスが生き残れる時間は、ステンレス；２日間、プラスチック；３日間、銅（メタル）は；わずか４時間で死滅する。このように銅の殺菌作用は立証されている。もちろん、古代インドのアーユルヴェーダ医学でもその効能が知られており、現代のマスク利用においてのその有効度に期待したい。
【０００７】
そこで、本考案にかかるマスクは、使用者の鼻及び口の部分に当てる本体部（１１）と、前記本体部（１１）を使用者の耳又は頭部に掛けるために該本体部（１１）の左右両端部から延出する一対の紐部材（１２ａ、１２ｂ）とを備えるマスク（１）であって、前記マスク（１）は、前記本体部（１１）と前記一対の紐部材（１２ａ、１２ｂ）とで構成されたアウターマスク（１０）と、前記アウターマスク（１０）の前記本体部（１１）内に収容されたインナーマスク（２０）と、を備え、前記アウターマスク（１０）の前記本体部（１１）は、伸縮性を有する布材で構成されており、かつ左右方向を軸方向として左右両端部がともに開口する筒状、又は前記左右両端部のうちいずれか一方が開口する袋状に形成されていることで、その内部が前記インナーマスク（２０）を収容するインナーマスク収容部（１３）になっており、前記インナーマスク（２０）は、銅製の板状部材（２１）と、柔軟性を有するクッション材（２３）と、前記板状部材（２１）及び前記クッション材（２３）を収容する収容袋（２５）と、前記板状部材（２１）及び前記クッション材（２３）を収容してなる前記収容袋（２５）を被覆するカバー部材（２７）と、を備え、前記カバー部材（２７）は、伸縮性を有する生地でその左右方向を軸方向として左右両端部がともに開口する筒状、又は前記左右両端部のうちいずれか一方が開口する袋状に形成されており、前記板状部材（２１）及び前記クッション材（２３）を互いに重ねた状態で前記収容袋（２５）に収容し、該収容袋（２５）を前記カバー部材（２７）で被覆することで前記インナーマスク（２０）を構成し、当該インナーマスク（２０）を前記アウターマスク（１０）の前記インナーマスク収容部（１３）に収容してなることを特徴とする。
【０００８】
ここで、前記収容袋（２５）に収容された前記板状部材（２１）及び前記クッション材（２３）は、顔に近い側から前記板状部材（２１）と前記クッション材（２３）の順番で重ねられているとよい。また、前記クッション材（２３）は、ポリプロピレン製であることが望ましい。さらには、前記板状部材（２１）は、その厚さ寸法が０．１ｍｍであるとよい。
【０００９】
上記構成の本考案にかかるマスクは、通常のマスク（アウターマスク）の中にさらにインナーマスクを挿入・内蔵させている。インナーマスクには、保温・保護の目的でプロプロピレン製のサポーター（クッション材）と抗菌の役割をもつ銅シート（銅製の板状部材）が一緒に収納される。このように構成した本考案にかかるマスクは、マスクとして少し厚みがでるが、その分、自転車、オートバイなどのライダーとスポーツ実践者向けに、効力を発揮することになる。防寒と顔面の怪我防止にもなり、かつ、銅製の板状部材（実施形態における銅シート）があることで口からの飛沫発散が押さえられ、周囲から自身の口元への直接のウイルスや細菌の（空気を経ての）流入が、軽減される。現在、多くの種類のマスクがあり、銅繊維マスクも既にでているが、やはり、内外部の空気の流れと一緒の細菌の流入においては、材質に微細隙間があることから、その付着性と滅菌・除菌・殺菌においては、銅シートがブロックする効能以上のものはないと考える。インナーマスクに挿入・内蔵の銅シート（好ましくは厚さ０．１mm）とサポーター（好ましくは厚さ１ｃｍ）が、自転車やオートバイのライダーにとっては、風圧と寒さ浸透をブロックし、転倒の場合にも顔面への怪我をやわらげられる。したがって、特に冬時期の需要も見込まれる。
【考案の効果】
【００１０】
本考案にかかるマスクによれば、口からの飛沫発散が押さえられ、周囲から自身の口元への直接のウイルスや細菌の（空気を経ての）流入が軽減され、かつ、防寒と顔面の怪我防止にも効果を有する。
【考案を実施するための形態】
【００１１】
以下、添付図面を参照して本考案の実施形態を詳細に説明する。図１は、本考案の一実施形態にかかるマスク（衛生用のマスク）の構成部品を示す分解斜視図である。また、図２は、当該マスクの装着状態を示す図である。
【００１２】
これらの図に示すように、本実施形態のマスク１は、使用者の鼻及び口の部分に当てる本体部１１と、本体部１１を使用者の耳又は頭部に掛けるために該本体部１１の左右両端部から延出する一対の紐部材１２ａ、１２ｂとを備える。そして、このマスク１は、本体部１１と一対の紐部材１２ａ、１２ｂとで構成されたアウターマスク（本体マスク）１０と、アウターマスク１０の本体部１１内に収容されたインナーマスク２０とを備えており、アウターマスク１０の本体部１１は、伸縮性を有する布材で構成されており、かつ、左右方向を軸方向として左右両端部に設けた一対の開口部１１ａ、１１ｂがともに開口する筒状に形成されていることで、その内部がインナーマスク２０を収容するインナーマスク収容部１３になっている。また、インナーマスク２０は、銅製の板状部材である銅シート２１と、柔軟性を有するポリプロピレン製のクッション材２３と、これら銅シート２１及びクッション材２３を収容する収容袋２５と、銅シート２１及びクッション材２３を収容してなる収容袋２５を被覆するカバー部材２７とを備えている。カバー部材２７は、伸縮性を有する生地でその左右両端部に設けた一対の開口部２７ａ、２７ｂがともに開口する筒状に形成されている。
【００１３】
マスク１は、銅シート２１及びクッション材２３を互いに重ねた状態で収容袋２５に収容し、該収容袋２５をカバー部材２７で被覆することでインナーマスク２０を構成し、当該インナーマスク２０をアウターマスク１０のインナーマスク収容部１３に収容した構成である。
【００１４】
銅シート２１は、略長方形状の薄板状の部材で、好ましくはその厚さ寸法が０．１ｍｍ、長辺の長さが約１０ｃｍ、短辺の長さが約７．５ｃｍである。また、銅シート２１は四隅が曲線状にカットされていることで、角部で手や指を傷つけないように構成されている。また、クッション材２３は、その外形が銅シート２１と略同形の一回り程度大きな寸法（長辺の長さが約１２ｃｍ、短辺の長さが約８．５ｃｍ）で、厚さ寸法が約１ｃｍ程度で、クッション性の高い部材（押圧に対する高い復帰力を有する柔軟な材質の部材）で構成されている。
【００１５】
収容袋２５は、銅シート２１及びクッション材２３よりも若干（更に一回り程度）大きな寸法である略長方形状の外形を有し、例えば、ゴムとポリエステルとポリプロピレンの混合材からなり、伸縮性・吸湿性に優れた袋状の部材である。この収容袋２５は、一方の面に形成されたスリット状の開口部２５ａを備えており、該開口部２５ａから銅シート２１及びクッション材２３を内部に収容するように構成されている。開口部２５ａは、収容袋２５の横方向（左右方向）に延びる直線状で、収容袋２５の上下方向の中央よりも上側の位置に設けられている。これにより、開口部２５ａが上下方向の中央に設けられている場合と比較して、銅シート２１及びクッション材２３の出し入れを行い易くなっている。
【００１６】
カバー部材２７は、ポリエステルなど伸縮性を有する材質で構成され、その外形は、収容袋２５の全体が内部に収まるような寸法に形成されている。カバー部材２７が高い伸縮性を有する場合は、若干伸びることで収容袋２５の全体を収容するように構成してもよい。カバー部材２７は、良好な通気性を確保するためにメッシュ状の生地で構成するとよい。
【００１７】
アウターマスク１０の本体部１１も、カバー部材２７と同様、ポリエステルなど伸縮性を有する材質で構成され、その外形は、インナーマスク２０の全体が内部に収まると共に、着用者の口と鼻を含む顔の下部分の全体を覆うことができる寸法に形成されている。なお、本体部１１の内面１１ｃ（顔側の面）と外面１１ｄ（顔と反対側の面）のうち、特に外面１１ｄは、良好な通気性を確保するためにメッシュ状の生地で構成するとよい。
【００１８】
以上説明したように、本実施形態のマスク１では、通常のマスク（本実施形態のアウターマスク１０と同様の構成のもの）の中にさらにインナーマスク２０を挿入・内蔵させている。インナーマスク２０には、保温・保護の目的でプロプロピレン製のサポーターであるクッション材２３と抗菌の役割をもつ銅シート（銅製の板状部材）２１が一緒に収納される。このように構成した本考案にかかるマスク１は、マスクとして少し厚みがでるが、その分、自転車、オートバイなどのライダーとスポーツ実践者向けに、効力を発揮することになる。防寒と顔面の怪我防止にもなり、かつ、銅シート２１があることで口からの飛沫発散が押さえられ、周囲から自身の口元への直接のウイルスや細菌の（空気を経ての）流入が、軽減される。
【００１９】
現在、多くの種類のマスクがあり、銅繊維マスクも既にでているが、やはり、内外部の空気の流れと一緒の細菌の流入においては、材質に微細隙間があることから、その付着性と滅菌・除菌・殺菌においては、本実施形態のマスク１のように、銅シート２１が飛沫をブロックする効能以上のものはないと考える。清潔観を求める国産品として、感触のよい綿織布マスク（洗濯可）の使用を企画する。本実施形態のマスク１では、インナーマスク２０に挿入・内蔵の銅シート２１（厚さ０．１mm）とサポーターであるクッション材２３（厚さ１ｃｍ）が、自転車やオートバイのライダーにとっては、風圧と寒さ浸透をブロックし、転倒の場合にも顔面への怪我をやわらげられる。したがって、特に冬時期の需要が見込まれる。
【００２０】
なお、留意すべき点は、本実施形態のマスク１は、金属アレルギーの方や子供の利用は不可にて、その使用をお勧めできない。マスク１の洗濯は、水洗い、中性洗剤（１０分間）で簡単にできる。洗濯後は、日陰干し乾燥が推奨される、特には、銅シート２１の洗濯は不要である。洗濯後のマスク１は、長期利用に耐えられ、銅シート２１の洗浄は特に必要としない。
【００２１】
また、就寝時には、マスク１の全体を同サイズの密閉性容器に一晩保管することで、銅イオンの効能による滅菌・殺菌になることを推奨する。インナーマスク２０の容器保存だけでも同様の効果を得ることができる。
【００２２】
最後に、今回の本願考案のマスクは、本願考案者の永年に亘っての健康管理や生活必需品への関心、思い入れが原点になっていることを記す。本願考案者は、現在、高齢者であり、認知症対策や身心の健康管理に気を使う最中、昨今の世界的のコロナウイルス禍（その蔓延）は尋常ではないと考えている。本願考案者は、半年程前に住居建物のゴミ捨て場へ８ｋｇほどのゴミ袋を片手にもち、しかし、初体験で、ちょっとの階段を踏み外し、転倒してしまった。その際、顔面を打ち（出血は少し）、前歯１本が欠損してしまった。数年前までは、世界各国へ旅行を年数回ほどしてきていたが、気候変動などや体調管理では、常に保温保護用のサポーターや毛糸のベストを持ち歩いて重宝していた。現在は、近所の散策や自転車利用の時などに「サポーター兼用マスク」を愛用している。
【００２３】
今回、家庭にも常備のパッド付サポーターやレッグウオーマーなどからのヒント発想があり、本案のような、風邪用マスクに、保温保護のサポーター機能＋超抗菌の銅シート利用を組み合わせた構成の新型マスクが発案された。金属のシートだけでは、固すぎ、皮膚に傷がつくことも考慮されることで布製インナーマスクへの1組セットでの挿入利用へと考えが発展し、実際に見本品が自作でき、現在、自身で愛用している。当初は、丁度良いサイズのパッド付サポーターがマスクに転用できることに気が付いたことが起点になったと思っている。これが、本考案へ至るいきさつであり、理由である。目的は、あくまでも、自分を守り、他人にも影響をあたえないことでの「銅シート＆サポーター兼用マスク」の開発普及である。
【００２４】
以上、本考案の実施形態を説明したが、本考案は上記実施形態に限定されるものではなく、実用新案登録請求の範囲、及び明細書と図面に記載された技術的思想の範囲内において種々の変形が可能である。例えば、上記実施形態では、アウターマスク１０の本体部１１が左右方向を軸方向として左右両端部に設けた一対の開口部１１ａ、１１ｂがともに開口する筒状に形成されている場合を示したが、これ以外にも、図示及び詳細な説明は省略するが、アウターマスク１０の本体部１１は、左右両端部のうちいずれか一方が開口する袋状に形成されていてもよい。同様に、上記実施形態では、収容袋２５を被覆するカバー部材２７がその左右両端部がともに開口する筒状に形成されている場合を示したが、これ以外にも、図示及び詳細な説明は省略するが、カバー部材２７は、左右両端部のうちいずれか一方が開口する袋状に形成されていてもよい。
【図面の簡単な説明】
【００２５】
【図１】本考案の一実施形態にかかるマスクの構成部品を示す分解斜視図である。
【図２】マスクの着用状態を示す図である。
【符号の説明】
【００２６】
１ マスク
１０ アウターマスク（本体マスク）
１１ 本体部
１１ａ、１１ｂ 開口部
１２ａ、１２ｂ 紐部材
１３ インナーマスク収容部
２０ インナーマスク
２１ 銅シート（銅製の板状部材）
２３ クッション材（サポーター）
２５ 収容袋
２５ａ 開口部
２７ カバー部材
【図１】
0003229101.tif 000003
【図２】
0003229101.tif 000004